(57)【要約】【課題】  コンテンツの詳細情報を適切に表示することが可能な表示機能を有するコンテンツ再生装置を実現する。【解決手段】  キー制御部１７から「ＩＮＦＯ」キーが押下されたことを示す信号を受信すると、システムマイコン１１は、再生中のコンテンツに関する詳細情報のデータをクライアント制御ＩＣ１２に要求する。クライアント制御ＩＣ１２は、要求に応じて、再生中のコンテンツの詳細情報を、各項目毎にテキストデータとしてシステムマイコン１１に供給する。システムマイコン１１は、このテキストデータにカーソル位置の情報を加えて、表示制御マイコン２５に供給する。表示制御マイコン２５は、テキストデータとカーソル位置の情報とから詳細画面データを作成し、表示部２４を制御して表示画面に表示させる。【選択図】  図１
2006065936.tif 000002
【特許請求の範囲】
【請求項１】
コンテンツデータを復号し再生手段に供給するコンテンツ供給手段と、
所定容量のデータを表示可能な表示画面を備える表示手段と、
前記コンテンツ供給手段から再生手段に供給しているコンテンツの詳細情報を前記表示手段に供給して表示させる表示制御手段と、
を備えるコンテンツ再生装置であって、
前記表示制御手段は、前記コンテンツ供給手段から詳細情報を受信すると、受信した詳細情報を記憶し、前記表示手段に表示している詳細情報の表示の変更が指示されたときに、記憶している詳細情報に基づいて、変更後の表示情報を生成して、前記表示手段に表示する、ことを特徴とするコンテンツ再生装置。
【請求項２】
前記詳細情報は複数の項目を有し、
前記表示制御手段は、ユーザ操作に基づく操作信号により、表示対象項目の変更が指示されたときに、記憶されている詳細情報に基づいて、表示対象の項目を変更した表示情報を生成して、前記表示手段に表示する、
ことを特徴とする請求項１に記載のコンテンツ再生装置。
【請求項３】
前記表示制御手段は、表示対象項目の変更が指示されたときに、記憶されている詳細情報に基づいて、表示対象の項目をスクロールして表示情報を生成して、前記表示手段に表示する、
ことを特徴とする請求項２に記載のコンテンツ再生装置。
【請求項４】
前記詳細情報は複数の項目を有し、
前記表示制御手段は、ユーザ操作に基づく操作信号により、特定の項目の表示内容の変更が指示されたときに、記憶されている詳細情報に基づいて、指定された項目の変更後の表示情報を生成して、前記表示手段に表示する、
ことを特徴とする請求項１、２又は３に記載のコンテンツ再生装置。
【請求項５】
前記表示制御手段は、指定された項目の詳細情報をスクロールして表示情報を生成して、前記表示手段に表示する、ことを特徴とする請求項４に記載のコンテンツ再生装置。
【請求項６】
前記コンテンツ供給手段は再生手段に供給しているコンテンツが切り替わったときに、該コンテンツの詳細情報を前記表示制御手段に供給する、ことを特徴とする請求項１乃至５のいずれか１項に記載のコンテンツ再生装置。
【請求項７】
コンテンツデータを復号して再生するコンテンツ再生ステップと、
前記再生中のコンテンツに付随する該コンテンツの詳細情報を表示手段に供給して表示させる表示制御ステップと、
を備えるコンテンツ再生方法であって、
前記表示制御ステップは、前記詳細情報を受信し、受信した詳細情報を記憶手段に記憶し、前記表示手段に表示している詳細情報の表示の変更が指示されたときに、前記記憶手段に記憶している詳細情報に基づいて、変更後の表示情報を生成し、前記表示手段に表示する、
ことを特徴とするコンテンツ再生方法。
【発明の詳細な説明】
【技術分野】
【０００１】
本発明は、コンテンツ再生装置、およびコンテンツ再生方法に関する。
【背景技術】
【０００２】
ＣＤ再生装置やＤＶＤ再生装置等の音響機器において、現在再生中のコンテンツのタイトルやジャンルなどを蛍光表示管などで表示することが一般的に行われている。このような音響機器の表示画面は、一般的に小さなものである場合が多く、一度に表示可能な情報量が限られている。そこで、画面に表示される情報のうち特定の情報をのみをスクロール表示させ、表示を行わせることが考えられた（例えば、特許文献１）。
【０００３】
上記のような表示機能を有する音響機器は、例えば図１１に簡略的に示すように構成されている。このような装置では、コンテンツ取得部３２がコンテンツ記憶部３５から取得したコンテンツをデコードして再生部３１に供給し、コンテンツの再生を行わせる。そして、表示制御部３３は、現在再生中のコンテンツの情報をコンテンツ取得部３２に問い合わせ、取得した情報を表示部３４に供給して、表示を行わせる。その際、表示画面に入りきらない情報に関しては、音響機器を使用するユーザによるコントローラ等を用いた表示画面上の位置選択を受け付ける等して、表示制御部３３は表示部３４を制御して表示画面の情報を切り替える。
【特許文献１】特開平１０−２７５４５２号公報
【発明の開示】
【発明が解決しようとする課題】
【０００４】
上述したような音響装置において、表示画面に表示される情報は、画面全体がひとつの情報であり、例えばユーザのコントローラ操作によりカーソル位置が選択変更された場合には、表示制御部３３がコンテンツ取得部３２に再度の問い合わせを行って、情報データを取得する必要がある。同様に、例えば、特定の項目の表示情報をスクロールさせたい場合にも、再度の問い合わせを行う必要がある。このため、表示制御部３３とコンテンツ取得部３２との間の通信が必要となって、スクロールを開始するまでに時間がかかってしまう。
【０００５】
また、表示制御部３３とコンテンツ取得部３２との間で頻繁に通信（問い合わせ）を行うと、通信にかかる負荷によってコンテンツ取得部３２でのデコードがスムーズに出来なくなり、コンテンツの再生時に音切れや映像切れが発生してしまうことがある。
【０００６】
本発明は、上記実状に鑑みて為されたものであり、コンテンツの詳細情報を適切に表示することが可能なコンテンツ再生装置及びコンテンツ再生方法を実現することを目的とする。
また、この発明は、表示内容の変更が指示された場合に、簡単な処理で適切なコンテンツの詳細情報を表示することを可能とすることを目的とする。
【課題を解決するための手段】
【０００７】
上記目的を達成するため、本発明の第１の観点に係るコンテンツ再生装置は、
コンテンツデータを復号し再生手段に供給するコンテンツ供給手段と、
所定容量のデータを表示可能な表示画面を備える表示手段と、
前記コンテンツ供給手段から再生手段に供給しているコンテンツの詳細情報を前記表示手段に供給して表示させる表示制御手段と、
を備えるコンテンツ再生装置であって、
前記表示制御手段は、前記コンテンツ供給手段から詳細情報を受信すると、受信した詳細情報を記憶し、前記表示手段に表示している詳細情報の表示の変更が指示されたときに、記憶している詳細情報に基づいて、変更後の表示情報を生成して、前記表示手段に表示する、ことを特徴とする。
【０００８】
例えば、前記詳細情報は複数の項目を有し、前記表示制御手段は、ユーザ操作に基づく操作信号により、表示対象項目の変更が指示されたときに、記憶されている詳細情報に基づいて、表示対象の項目を変更した表示情報を生成して、前記表示手段に表示する。この場合、例えば、前記表示制御手段は、表示対象項目の変更が指示されたときに、記憶されている詳細情報に基づいて、表示対象の項目をスクロールして表示情報を生成して、前記表示手段に表示する。
【０００９】
例えば、前記詳細情報は複数の項目を有し、前記表示制御手段は、ユーザ操作に基づく操作信号により、特定の項目の表示内容の変更が指示されたときに、記憶されている詳細情報に基づいて、指定された項目の変更後の表示情報を生成して、前記表示手段に表示する。この場合、例えば、前記表示制御手段は、指定された項目の詳細情報をスクロールして表示情報を生成して、前記表示手段に表示する。
【００１０】
前記コンテンツ供給手段は、例えば、再生手段に供給しているコンテンツが切り替わったときに、該コンテンツの詳細情報を前記表示制御手段に供給する。
【００１１】
上記目的を達成するため、本発明の第２の観点に係るコンテンツ再生装置のコンテンツ情報表示方法は、
コンテンツデータを復号して再生するコンテンツ再生ステップと、
前記再生中のコンテンツに付随する該コンテンツの詳細情報を表示手段に供給して表示させる表示制御ステップと、
を備えるコンテンツ再生方法であって、
前記表示制御ステップは、前記詳細情報を受信し、受信した詳細情報を記憶手段に記憶し、前記表示手段に表示している詳細情報の表示の変更が指示されたときに、前記記憶手段に記憶している詳細情報に基づいて、変更後の表示情報を生成し、前記表示手段に表示する、
ことを特徴とする。
【発明の効果】
【００１２】
本発明によれば、予め受信した詳細情報を記憶しておいて、表示内容の変更が指示されたときに、記憶していた詳細情報に基づいて、変更後の表示内容を生成して表示させる。このため、表示内容の変更、例えば、項目のスクロールや、特定の項目の情報のスクロールが指定された場合でも、通信を行わずに、変更後の表示内容を生成して速やかに表示させることができる。
【発明を実施するための最良の形態】
【００１３】
本発明の実施の形態に係るＡＶ（Audio and Visual）機器１は、図１に示すように、システムマイコン１１と、クライアント制御ＩＣ１２と、ＤＩＲ（Digital Interface Receiver）１３と、オーディオＤＳＰ（Digital Signal Processor）１４と、アンプ部１５と、スピーカ部１６と、キー制御部１７と、ＰＣ（Personal Computer）１８と、ルータ１９と、メモリカード２０と、スロット２１と、ＬＡＮ（Local Area Network）２２と、ＬＡＮコントローラ２３と、表示部２４と、表示制御マイコン２５と、から構成される。
【００１４】
システムマイコン１１は、ＡＶ機器１の全体の動作を制御するものであり、ＣＰＵ（Central Processing Unit）やＲＯＭ（Read Only Memory）、ＲＡＭ（Random Access Memory）等を備えて構成され、キー制御部１７からのキー操作信号に従って様々な制御動作を行う。例えば、キー制御部１７から、再生中のコンテンツの詳細情報の表示を要求する「Ｉｎｆｏ」キーが操作された場合には、クライアント制御ＩＣ１２にコンテンツデータに付随している詳細情報を問い合わせて、提供された詳細情報を内部メモリに記憶し、表示データを生成して、表示制御マイコン２５を介して表示部２４に表示させる。
【００１５】
クライアント制御ＩＣ１２は、ＰＣ１８やメモリカード２０から供給されたデジタルのコンテンツデータと、コンテンツの詳細情報に関するデータとを、併せて受信する。クライアント制御ＩＣ１２は、入力されたビットストリームからなるコンテンツデータをＰＣＭデータにデコードして、ＤＩＲ１３に供給する。また、クライアント制御ＩＣ１２は、コンテンツの詳細情報を自己の記憶領域にいったん記憶する。
【００１６】
この詳細情報は複数の項目のデータから構成される。
例えば、コンテンツが楽曲である場合には、その詳細情報は、例えば、図４（ａ）に示すような「ＭＵＳＩＣ：」（曲のタイトル）、「ＡＬＢＵＭ」（アルバム名）、「ＡＲＴＩＳＴ」（演奏者）、「ＬＡＢＥＬ」（レーベル）、「ＴＩＭＥ」（演奏時間）、「ＣＯＭＭＥＮＴ」（コメント）といった項目を備え、そのデータは、例えば、図４（ｂ）〜（ｇ）に示すような内容、すなわち、曲のタイトル、アルバム名、演奏者、レーベル、演奏時間、コメントの各項目に対応するデータを含む。
【００１７】
クライアント制御ＩＣ１２は、システムマイコン１１からの、現在再生中のコンテンツについての詳細情報の要求（問い合わせ）に応じて、これらのデータを、システムマイコン１１に供給する。後述するが、システムマイコン１１は、表示部２４の表示形式に従って、図５に示すようにデータを組み合わせて、表示用データの原型（テキストデータ）を形成する。
【００１８】
ＤＩＲ１３は、クライアント制御ＩＣ１２から供給されたＰＣＭデータをオーディオＤＳＰ１４が処理可能な信号形式に変換して、変換した信号をオーディオＤＳＰ１４に供給する。
【００１９】
オーディオＤＳＰ１４は、ＤＩＲ１３を介してクライアント制御ＩＣ１２から供給されたコンテンツデータに対してディジタル信号処理を行い、ステレオ、サラウンド効果などの音響処理を施したデータをアンプ部１５に出力する。
【００２０】
アンプ部１５は、図示せぬＤ／Ａコンバータやアナログ増幅器を備えて構成され、オーディオＤＳＰ１４から入力されたデータをＤ／Ａ変換によりアナログ信号に変換して、増幅する。そして、アンプ部１５は、アナログ増幅した信号から音声信号を抽出してスピーカ部１６に供給する。
【００２１】
スピーカ部１６は、ステレオスピーカ等から構成され、アンプ部１５から供給された音声信号を空気振動に変換して、音声を出力する。
【００２２】
キー制御部１７は、図示せぬリモートコントローラ等の操作入力キーを用いた入力を受け付け、入力された信号に対応するデータをシステムマイコン１１に供給する。特に、後述する詳細情報表示処理の際には、リモートコントローラを用いて入力された、表示部２４の表示画面上でコンテンツの詳細表示を行わせるための「Ｉｎｆｏ」キー、カーソルの選択位置を変更させるための「上下」キー、選択されたカーソル位置でスクロール表示を行わせるための「Ｅｎｔｅｒ」キーの入力信号を受け付け、その入力信号に対応するデータをシステムマイコン１１に供給する。
【００２３】
ＰＣ１８は、ハードディスク装置等の記憶装置を備えて構成されており、クライアント制御ＩＣ１２からの要求に応じて、記憶装置内に記憶されたコンテンツデータを、ルータ１９およびＬＡＮ２２を介してクライアント制御ＩＣ１２に供給する。
【００２４】
ルータ１９は、ＰＣ１８とクライアント制御ＩＣ１２との間のＬＡＮ２２を介したデータの授受を中継するための装置である。
【００２５】
メモリカード２０は、フラッシュメモリを内蔵した半導体メモリ等から構成される記録媒体である。メモリカード２０は、クライアント制御ＩＣ１２に接続されたスロット２１に挿入され、自身内部に記録されたコンテンツデータをスロット２１を介してクライアント制御ＩＣ１２に供給する。
【００２６】
スロット２１は、メモリカード２０の挿入口であり、クライアント制御ＩＣ１２に接続されている。スロット２１は、メモリカード２０に記録されたコンテンツデータを読み取って、クライアント制御ＩＣ１２に供給する。
【００２７】
ＬＡＮ２２は、Ethernet（登録商標）等から構成され、クライアント制御ＩＣ１２とＰＣ１８との間のデータの授受を媒介する。
【００２８】
ＬＡＮコントローラ２３は、クライアント制御ＩＣ１２とＰＣ１８との間のＬＡＮ２２を介したデータの授受を制御するためのネットワーク制御装置であり、クライアント制御ＩＣ１２に接続されている。
【００２９】
表示部２４は、蛍光表示管などから構成され、表示制御マイコン２５によって展開される表示画面データに従って、表示画面に表示を行う。本実施例では、この表示画面は、上述のコンテンツの詳細情報に限れば、図６に示すように、４行分の表示領域を有する。表示領域の行は、３つのエリアに区切られ、左側のエリアＤＬは、カーソルが表示されるエリアであり、中央のエリアＤＣは、項目名が表示されるエリアであり、右側のエリアＤＲは、各項目の情報が表示されるエリアである。
【００３０】
表示制御マイコン２５は、ＣＰＵやＲＯＭ、ＲＡＭ等を備えており、後述する表示制御処理に従って、表示部２４に表示される表示内容を制御する。表示制御マイコン２５は、詳細情報の表示に関しては、例えば、システムマイコン１１から提供された図５に示すような表示画面用データ（テキストデータ）にシステムマイコン１１から提供されたカーソルの情報を付加して、図７（ａ）に示す表示データ（表示部２４が大画面であれば表示されるであろう形態）に内部メモリ上で展開し、さらに、図６に示した表示部２４の表示画面の構成にあわせて切り出して、図７（ｂ）に例示する実際に即した表示データを生成する。なお、詳細情報のデータ量は、表示部２４に一度に表示できる量よりも大きいため、一部の情報が欠落した状態で表示することになる。ただし、その時点で見えない情報については、例えば、上下スクロール、左右スクロールなどで表示させることが可能である。
【００３１】
次に、上記構成のＡＶ機器１の動作を説明する。
クライアント制御ＩＣ１２は、ＬＡＮ２２とＬＡＮコントローラ２３とを介してＰＣ１８から供給されるコンテンツデータか、スロット２１を介してメモリカード２０から供給されるコンテンツデータの一方を、システムマイコン１１からの指示に応じて選択する。クライアント制御ＩＣ１２は、選択したコンテンツデータのうち、オーディオデータをＤＩＲ１３を介して、オーディオＤＳＰ１４に供給する。オーディオＤＳＰ１４は、動作モード、例えば、モノラル、ステレオ、サラウンドなどの状態に応じて、処理を行ってオーディオ信号をアンプ部１５に出力する。アンプ部１５は供給されたオーディオデータをＤ／Ａ変換し、システムマイコン１１により指示された増幅度で増幅してスピーカ部１６を構成する各スピーカに供給し、放音する。
【００３２】
このとき、クライアント制御ＩＣ１２には、コンテンツデータに付随してコンテンツの楽曲名、アルバム名等を特定する詳細情報が提供されている。
【００３３】
ユーザは、例えば、再生中のコンテンツについて、その詳細情報が知りたい場合、リモコン装置などの入力装置上の「ＩＮＦＯ」キーを押下する。このキー操作情報は、キー制御部１７を介してシステムマイコン１１に通知される。
【００３４】
システムマイコン１１は、この通知に応答して、図２に示す詳細情報表示処理を起動する。
【００３５】
まず、システムマイコン１１は、再生中のコンテンツの詳細情報をクライアント制御ＩＣ１２に要求する（ステップＳ１０１）。また、システムマイコン１１は、表示制御マイコン２５を介して、表示部２４に、詳細情報のロード中であることを示す図８に示すような画面を表示させる（ステップＳ１０２）。
【００３６】
クライアント制御ＩＣ１２は、システムマイコン１１から詳細内容のデータを要求する信号を受け取ると、詳細情報の項目とその内容とを示す図５に示すようなデータ（テキストデータ）を、システムマイコン１１に供給する。システムマイコン１１は、このデータを受信して（ステップＳ１０３）、自己の記憶領域にいったん記憶する。
【００３７】
続いて、システムマイコン１１は、受信したデータに、表示画面上におけるカーソル位置を示すデータを加えて、表示制御マイコン２５に送信する（ステップＳ１０４）。
表示制御マイコン２５は、提供された詳細情報データ及びカーソル位置のうち、表示部２４の表示画面に収まるエリアの情報を切り出して、表示画面データを作成し、表示部２４に表示させる。具体的には、表示制御マイコン２５は、図７（ａ）に示すような仮想的な大画面に表示する表示用データを作成し、図７（ｂ）に示すように、表示部２４の実際の表示画面に表示可能な領域のみを切り出すことにより、図７（ａ）、に示すような表示画面データを作成する。尚、ここでは、カーソル位置がホームポジションである最上行に設定されており、表示制御マイコン２５は、上４行分のデータを切り出し、表示画面データを作成する。このカーソル選択位置の変更と、それに伴う表示画面の切り替え処理についての詳細な説明は、後述する。なお、カーソル位置も自己の記憶領域に記憶しておく。
【００３８】
なお、システムマイコン１１は、カーソル位置を示す情報や詳細情報表示モードであることを示すステータス情報などを自己の記録領域に記憶しておく。
【００３９】
次に、システムマイコン１１は、作成した表示画面データを表示制御マイコン２５に供給し、表示部２４に図９（ａ）、図１０（ａ）に示すように表示させる（ステップＳ１０５）。
【００４０】
以上の処理動作により、再生中のコンテンツの詳細情報を示す表示が表示部２４になされる。
【００４１】
表示部２４に表示されている情報は、全詳細情報の一部である。ユーザは、必要に応じて、図９（ａ）〜（ｆ）及び図１０（ａ）〜（ｅ）に示すように、表示内容を縦スクロール及び横スクロールして適宜表示させる。
すなわち、表示されていない項目のデータを表示させる場合には、ユーザは、「上下」キーを操作して、表示を上下にスクロールして、隠れている項目を表示させる。一方、項目自体は、表示されているが、隠れて見えていない部分（例えば、末尾部分）を表示させる場合には、その項目を選択して、表示の横スクロールを指定する。
【００４２】
以下、このようなキーが操作された時のシステムマイコン１１の動作を図３を参照して説明する。
【００４３】
まず、システムマイコン１１は、キー制御部１７から供給された信号がコントローラの「上下」キーが押下されたことを示すものであるか否か、すなわち表示画面上で現在選択されているカーソル位置の変更を要求するものであるか否かを判別する（ステップＳ２０１）。
【００４４】
「上下」キーが押下されたと判別すると（ステップＳ２０１：Ｙｅｓ）、システムマイコン１１は、表示制御マイコン２５に操作されたキーを通知する（ステップＳ２０３）。表示制御マイコン２５は、通知に応答して、カーソルの位置を「上下」キーが指示する方向に移動した表示画面を形成する。この場合、図９（ａ）〜（ｄ）のようにカーソルが元の表示範囲内にあれば、単にカーソルの位置を変更するだけである。ただし、図９（ｄ）の状態から図９（ｅ）の状態に移動したり、図９（ｅ）の状態から図９（ｆ）の状態に移動した場合のように、カーソルが元の表示範囲外に出てしまった場合には、カーソルが表示されるように改めて画像データの切り出しを行う。
【００４５】
次に、システムマイコン１１は、キー制御部１７から「Ｅｎｔｅｒ」キーが押下されたことを示す信号を受信したか否か、すなわち図示せぬコントローラにおいてユーザが「Ｅｎｔｅｒ」キーを押下したことを示す信号が、キー制御部を介してシステムマイコン１１に供給されたか否かを判別する（ステップＳ２０２）。
【００４６】
一方、「Ｅｎｔｅｒ」キーが押下されたと判別すると（ステップＳ２０２：Ｙｅｓ）、システムマイコン１１は、表示制御マイコン２５にＥｎｔｅｒキーが操作されたことを通知する（ステップＳ２０３）。表示制御マイコン２５は、通知に応答して、カーソル選択位置の行における表示内容をスクロール表示するための表示画面を順次形成し、表示部２４に供給する。これにより、図１０（ａ）〜（ｅ）に示すようなスクロール表示がなされる。
【００４７】
なお、ここで、再度「上下」キーが押下されると、それがステップＳ２０１で判別され、システムマイコン１１は、「上下」キーが操作されたことを、表示制御マイコン２５に通知する（ステップＳ２０３）。表示制御マイコン２５は、通知に応答して、データの横スクロールを停止し、カーソルの位置を上下方向に移動する。
【００４８】
なお、詳細情報表示モードで他のキーが操作された場合には、ステップＳ２０４で対応する処理が行われる。
【００４９】
クライアント制御ＩＣ１２は、詳細情報を取り消すような特定の情報がシステムマイコン１１から提供されるまで、詳細情報表示モードにあることを認識し続ける。そして、その間、クライアント制御ＩＣ１２は、コンテンツが切り替わる等して、詳細情報も切り替わった場合には、システムマイコンにその旨と切り替わった詳細情報を通知する。この場合、システムマイコン１１は、上述と同様の動作を行って、詳細情報を更新する。
【００５０】
上述したように、本実施の形態によれば、システムマイコン１１からクライアント制御ＩＣ１２への一度の問い合わせ（詳細データ要求）で、すべての表示データ（表示すべきデータ）の内容がテキストとして授受される。このため、システムマイコン１１とクライアント制御ＩＣ１２との間での再度のデータの受け渡しは不要となり、キー制御部１４から供給されたカーソル位置情報やスクロール開始／停止の情報を表示制御マイコン２５に通知することによって、表示画面を制御することが可能となる。
【００５１】
したがって、詳細情報の授受を行った後、システムマイコン１１とクライアント制御ＩＣ１２との間の接続を切断することができる。特に、コンテンツの再生中にクライアント制御ＩＣ１２のデコード負荷が重い場合、表示データの送信後にシステムマイコン１１とクライアント制御ＩＣとの間の通信を断つことにより、クライアント制御ＩＣ１２においてデコードに多くのリソースを振り分けることが可能となる。また、詳細情報が表示部１４の表示できる情報量よりも多い場合にも、クライアント制御ＩＣ１２に問い合わせを行うことなく、表示制御マイコン２５に格納しておいた情報を用いて、適宜スクロール表示を行うことができる。
【００５２】
尚、本発明は上記実施の形態で示したものに限定されず、様々な変形及び応用が可能である。
例えば、上記実施の形態においては、クライアント制御ＩＣ１２から受信した詳細情報（テキストデータ）とカーソルの位置を表示制御マイコン２５に提供し、表示制御マイコン２５で表示対象のデータを生成したが、例えば、表示対象データの生成（切り出し）までを、システムマイコン１１で実行し、生成されたデータを表示制御マイコン２５に提供して表示させてもよい。
【００５３】
例えば、上記実施の形態では、再度の「上下」キーの押下により、スクロールが停止してカーソル位置が移動するものとした。しかし、再度の「上下」キーの押下により、スクロールの停止を伴わずにカーソル位置が移動するような構成としても良い。すなわち、スクロールがいったん停止することなく、移動したカーソル位置においてすぐにスクロールが行われるような構成としても良い。
【００５４】
また、上記実施の形態では、再生されるコンテンツが楽曲であり、情報として、曲のタイトル、アルバムのタイトル、アーティスト名、レーベル名が表示部２４に表示される例を示した。しかし、再生されるコンテンツは楽曲だけに限られず、映画や、静止画のスライドショーなどでも良い。その際、再生されるコンテンツが映画である場合には、例えば映画のタイトル、キャスト、監督、配給元等の情報が表示され、静止画のスライドショーである場合には、例えば写真のタイトル、写真が収録されているアルバム名、撮影者、ＢＧＭの曲名等が表示されるような構成とすることができる。
【００５５】
また、上記実施の形態では、クライアント制御ＩＣ１２が、ＰＣ１８やメモリカード２０からコンテンツデータを取得するものとした。しかし、例えばクライアント制御ＩＣ１２がインターネットに接続され、ダウンロードによってコンテンツを取得するような構成としても良い。
【００５６】
また、上記実施の形態では、図示せぬコントローラにおいて、詳細情報の表示を要求するためのキーとして「Ｉｎｆｏ」キー、カーソル選択位置の変更を要求するキーとして「上下」キー、スクロールの開始を要求するキーとして「Ｅｎｔｅｒ」キーが押下される例を示した。しかし、コントローラのキー構成はこれに限られず、他のキーを用いてこれらの操作を行わせるものであっても良い。
【００５７】
また、コンテンツを供給するソースの種類も、ＰＣ１８（ＨＤＤ）やメモリカード２０に限定されず、例えば、ＤＶＤ（Digital Versatile Disc)や、ＣＤ(Compact Disc) 等でもよい。この場合、例えば、ソースから出力信号は、デコードが必要な場合にはクライアント制御ＩＣ１２に供給され、、デコード済みの場合には、ＤＩＲ１３に供給され、ＤＩＲ１３で任意の入力が選択される。
【図面の簡単な説明】
【００５８】
【図１】本発明の実施の形態に係るＡＶ機器の構成図である。
【図２】図１のＡＶ機器が行う詳細情報表示処理の内容を示すフローチャートである。
【図３】キー操作時の処理動作の内容を示すフローチャートである。
【図４】詳細情報の構成を説明するための図である。
【図５】クライアント制御ＩＣが出力するテキストデータから構成される詳細情報の構成を説明するための図である。
【図６】表示部の画面構成を説明するための図である。
【図７】（ａ）十分なサイズの仮想的な表示画面に表示される詳細情報の表示データの例を示す図であり、（ｂ）は、（ａ）の表示データから実際に表示可能な部分を切り出した表示データの例を示す図である。
【図８】詳細情報を取得中であることを示す画面の例を示す図である。
【図９】詳細情報を表示した状態において、上下キーを操作したときの表示の変化の例を示す図である。
【図１０】詳細情報を表示した状態において、スクロールを指示したときの表示の変化の例を示す図である。
【図１１】従来のシステム構成の例を示す図である。
【符号の説明】
【００５９】
１  ＡＶ機器
１１  システムマイコン
１２  クライアント制御ＩＣ
１３  ＤＩＲ
１４  オーディオＤＳＰ
１５  アンプ部
１６  スピーカ部
１７  キー制御部
１８  ＰＣ
１９  ルータ
２０  メモリカード
２１  スロット
２２  ＬＡＮ
２３  ＬＡＮコントローラ
２４  表示部
２５  表示制御マイコン
【図１】
2006065936.tif 000003
【図２】
2006065936.tif 000004
【図３】
2006065936.tif 000005
【図４】
2006065936.tif 000006
【図５】
2006065936.tif 000007
【図６】
2006065936.tif 000008
【図７】
2006065936.tif 000009
【図８】
2006065936.tif 000010
【図９】
2006065936.tif 000011
【図１０】
2006065936.tif 000012
【図１１】
2006065936.tif 000013